(57)【要約】【課題】配置される環境温度が高くなって、熱膨脹を生じた際でも、絶縁基板からの端子の離脱を抑制できる回転型電気部品の提供。【解決手段】ケース１と、摺動子７を有する回転体２と、抵抗体パターン、集電体パターンを有する抵抗体基板６と、カバー１０と、抵抗体基板６に固定される端子８と、封止用の接着剤２４とを備え、端子８の脚部を、接着剤２４の内部から外方へ向って延設させるとともに、この回転型電気部品の熱膨脹に伴うカバー１０の第１壁部１６，２０、第２壁部１７，２１の微小変位を許容させる空間部１９，２３を設けた。【選択図】　　　図２
2004128129.tif 000002
【特許請求の範囲】
【請求項１】
開口部を有するケースと、このケースの上記開口部内に設けた回転体と、上記ケースの開口部内に設けられ、上記回転体の回転に伴って信号を出力する絶縁基板と、この絶縁基板に固定される端子と、上記開口部を閉塞し、上記端子の脚部が挿通される穴を有するカバーと、このカバーの外側部分に設けられ、少なくとも上記カバーの上記端子が挿通されている上記穴部分、及び上記カバーの外周縁と上記ケースとの境界部を封止する充填剤とを備え、上記端子の上記脚部を、上記充填剤の内部から外方へ向って延設させるとともに、
この回転型電気部品の熱膨脹に伴う上記カバーの所定部分の微小変位を許容させる許容手段を備えたことを特徴とする回転型電気部品。
【請求項２】
上記請求項１記載の発明において、
上記所定部分が、上記カバーに設けられ、上記端子の上記脚部を囲むように、かつ、上記脚部とほぼ同方向に延設される第１壁部を含み、
上記許容手段が、上記第１壁部に連設形成させた空間部から成り、
上記端子の上記脚部を囲むように延設される上記第１壁部間の領域に、上記充填剤を設けたことを特徴とする回転型電気部品。
【請求項３】
上記請求項２記載の発明において、
上記カバーを外部に露出させたことを特徴とする回転型電気部品。
【請求項４】
上記請求項２記載の発明において、
上記所定部分が、上記第１壁部と上記カバーの外周縁との間に位置し、上記空間部に連設形成される第２壁部を含み、
上記カバーの外周縁の近傍の上記ケースの部分と上記第２壁部との間の領域に、上記充填剤を設けたことを特徴とする回転型電気部品。
【請求項５】
上記請求項４記載の発明において、
上記カバーが、上記端子の上記脚部を挟むように配置される一対の筒状部を有し、
これらの筒状部の壁部のうちの上記端子の上記脚部に近い側に位置する壁部が、上記第１壁部を形成し、上記端子の上記脚部から遠い側に位置する壁部が、上記第２壁部を形成することを特徴とする回転型電気部品。
【請求項６】
上記請求項５記載の発明において、
上記一対の筒状部のそれぞれが、上記第１壁部、上記第２壁部に連設される底部を有するとともに、これらの底部の少なくとも一方を波形状に形成したことを特徴とする回転型電気部品。
【請求項７】
上記請求項６記載の発明において、
上記底部の厚さ寸法に比べて、上記第１壁部及び上記第２壁部の少なくとも一方の厚さ寸法を薄く設定したことを特徴とする回転型電気部品。
【請求項８】
上記請求項１記載の発明において、
上記ケースと上記回転体との間に、上記回転体の回転を許容させる所定の隙間を設定するとともに、
上記回転体に支軸を設け、この支軸が収容される凹部を上記カバーに設け、これらの支軸と凹部とによってピポット支持構造を形成したことを特徴とする回転型電気部品。
【発明の詳細な説明】
【０００１】
【発明の属する技術分野】
本発明は、可変抵抗器等の回転型電気部品に係り、特に封止用の充填剤を有する回転型電気部品に関する。
【０００２】
【従来の技術】
この種の従来技術として、開口部を有するケースと、このケースの開口部内に設けられ、例えば摺動子を有する回転体と、ケースの開口部内に設けられ、回転体の回転に伴って信号を出力する絶縁基板とを備えたものがある。この絶縁基板は、例えば回転体の摺動子が摺接する抵抗体パターン、集電体パターンが形成された抵抗体基板から成っている。
【０００３】
また、この従来技術は、抵抗体基板の電極に固定される端子と、上述の開口部を閉塞し、端子の脚部が挿通される穴を有するカバーを備えている。
【０００４】
さらに、カバーの外側部分には、カバーの上述の端子が挿通された穴部分の隙間、及びカバーの外周縁とケースとの境界部に形成される隙間を封止する充填剤、例えば接着剤を備えている。上述した端子の脚部は、接着剤の内部を通って外方へ向って延設されるように配置される。
【０００５】
この従来技術は、回転体が回転することにより、回転体の摺動子が抵抗体基板上の抵抗体パターン、集電体パターン上を摺接し、回転体の回転量に応じた信号が、端子を介して外部に出力される。
【０００６】
また、接着剤によって端子の脚部が保持される。さらにこの接着剤によって端子の脚部が挿通されるカバーの穴部分、及びカバーの外周縁とケースとの境界部が封止されることにより、摺動子と抵抗体パターン、集電体パターンを含む電気接触部へのカバーの外部からの流体、塵埃等の異物の侵入が阻止される（特許文献１参照。）。
【０００７】
【特許文献１】
実開平２−８１０２号公報（第２頁、第１０図）
【０００８】
【発明が解決しようとする課題】
上述した従来技術は、低温と高温との間の比較的広い温度範囲において温度が変化する環境に設置される場合に問題がある。例えば、自動車のエンジンの燃料噴射量を制御するスロットルバルブの回転角度を検出するスロットルポジションセンサ等に活用されるときに、配置される環境温度による問題を生じる。
【０００９】
例えば、抵抗体基板に接続される端子の脚部は、上述したように、接着剤の内部を通って外部に延設される。この端子の脚部の位置が、接着剤が充填されている領域の中心部分から偏移した位置にあるときには、脚部とケースとの距離が近い領域にある接着剤の量すなわち体積に比べて、脚部とケースとの距離が遠い領域にある接着剤の体積の方が大きくなる。この体積の違いにより、周囲の温度が高くなって接着剤が熱膨脹した際、脚部と直交する方向に、この脚部の一方の面側を強く押圧するストレスを生じやすい。この端子の脚部が挿通される穴を有するカバーは、接着剤に比べ熱膨脹率は小さくケースに保持される静止部材を形成し、同時に脚部は容易に屈曲しない様に十分な強度を持たせているので、上述したストレスによって脚部がケースの穴部分を中心として傾き、端子と抵抗体基板の電極との固定部において端子を押引きする力が作用する。これにより、端子が抵抗体基板の電極から離脱する懸念がある。
【００１０】
また、端子が挿通されているカバーと接着剤とは材質の違いにより、互いの熱膨脹率が大きく異なっている。したがって、周囲の温度が高くなったときに、これらのカバーと接着剤との熱膨脹率の違いに起因するストレスを、端子の脚部が受けやすい。これにより上述のように、端子が固定部から離脱する懸念がある。
【００１１】
さらに、カバーに設けた脚部を挿通する穴が十分に大きくとも上述した接着剤の内部から外部に延設された端子は、ケースの外部に配置されるプリント回路基板等に固定されるが、この場合においても上記と同様、このケースの外部に配置されるプリント回路基板等と、ケースの内部に配置される接着剤等との熱膨脹率の違いに起因して傾き、この傾きに起因するストレスを、端子の脚部が受けやすい。これによっても、端子が固定部から離脱する懸念がある。
【００１２】
すなわち、上述した従来技術では、配置される環境温度が高くなったときに、端子の脚部に主に接着剤の熱膨脹に起因するストレスを受け、これにより端子が抵抗体基板の電極から離脱する懸念があり、装置としての信頼性が低下しやすい。また、これに伴って耐久性の向上が見込めないのが実状である。
【００１３】
なお、例えば上述のようにスロットルポジションセンサとして活用される場合には、一般の電気機器等に備えられる場合に比べて、数十倍の回転動作に耐え、しかも長期間の使用に耐えることが要望されている。したがって、上述した従来技術では、このような要望に応えるのが難しい状況になっている。
【００１４】
本発明は、上述した従来技術における実状からなされたもので、その目的は、配置される環境温度が高くなって、熱膨脹を生じた際でも、絶縁基板からの端子の離脱を抑制できる回転型電気部品を提供することにある。
【００１５】
【課題を解決するための手段】
上記目的を達成するために、本発明は、開口部を有するケースと、このケースの上記開口部内に設けた回転体と、上記ケースの開口部内に設けられ、上記回転体の回転に伴って信号を出力する絶縁基板と、この絶縁基板に固定される端子と、上記開口部を閉塞し、上記端子の脚部が挿通される穴を有するカバーと、このカバーの外側部分に設けられ、少なくとも上記カバーの上記端子が挿通されている上記穴部分、及び上記カバーの外周縁と上記ケースとの境界部を封止する充填剤とを備え、上記端子の上記脚部を、上記充填剤の内部から外方へ向って延設させるとともに、この回転型電気部品の熱膨脹に伴う上記カバーの所定部分の微小変位を許容させる許容手段を備えたことを特徴としている。
【００１６】
このように構成した本発明は、この回転型電気部品が配置される環境の温度が上昇し、充填剤が熱膨脹したとき、許容手段によってカバーの所定部分が微小変位することにより、充填剤内に位置する端子の脚部を動かそうとするストレスが軽減される。これにより、端子と絶縁基板との固定部において、端子を押引きする力が小さくなり、絶縁基板からの端子の離脱を抑制することができる。
【００１７】
また本発明は、上記発明において、上記所定部分が、上記カバーに設けられ、上記端子の上記脚部を囲むように、かつ、上記脚部とほぼ同方向に延設される第１壁部を含み、上記許容手段が、上記第１壁部に連設形成させた空間部から成り、上記端子の上記脚部を囲むように延設される上記第１壁部間の領域に、上記充填剤を設けたことを特徴としている。
【００１８】
このように構成した本発明は、環境温度が上昇して充填剤が熱膨脹したとき、カバーの第１壁部が、この第１壁部に連設形成された空間部方向へ微小変位する。これにより充填剤内に位置する端子の脚部を動かそうとするストレスが軽減される。
【００１９】
また本発明は、上記発明において、上記カバーを外部に露出させたことを特徴としている。
【００２０】
このように構成した本発明は、カバーの外側部分に設けられる特に脚部と直交する方向の充填剤の量を少なく抑えることができる。また、端子の脚部に沿う方向の回転型電気部品の裏面の剛性を確保できる。
【００２１】
また本発明は、上記発明において、上記所定部分が、上記第１壁部と上記カバーの外周縁との間に位置し、上記空間部に連設形成される第２壁部を含み、上記カバーの外周縁の近傍の上記ケースの部分と上記第２壁部との間の領域に、上記充填剤を設けたことを特徴としている。
【００２２】
このように構成した本発明は、カバーの外周縁近傍のケースの部分とカバーの第２壁部との間に充填された充填剤が熱膨脹したとき、第２壁部が空間部方向へ微小変位する。これにより、カバーの外周縁近傍のケースの部分とカバーの第２壁部との間に充填された充填剤の熱膨脹による端子の脚部への影響を少なくすることができる。
【００２３】
また本発明は、上記発明において、上記カバーが、上記端子の上記脚部を挟むように配置される一対の筒状部を有し、これらの筒状部の壁部のうちの上記端子の上記脚部に近い側に位置する壁部が、上記第１壁部を形成し、上記端子の上記脚部から遠い側に位置する壁部が、上記第２壁部を形成することを特徴としている。
【００２４】
このように構成した本発明は、環境温度が上昇したとき、一対の筒状部のそれぞれの第１壁部の間に位置する充填剤の熱膨脹に伴って、これらの第１壁部が空間部方向へ微小変位する。また、それぞれの筒状部の第２壁部と、対向するケースの部分との間に位置する充填剤のそれぞれの熱膨脹に伴って、これらの第２壁部が空間部方向へ微小変位する。これらの第１壁部、第２壁部の微小変位により、第１壁部間に位置する端子の脚部を動かそうとするストレスが軽減される。
【００２５】
また本発明は、上記発明において、上記一対の筒状部のそれぞれが、上記第１壁部、上記第２壁部に連設される底部を有するとともに、これらの底部の少なくとも一方を波形状に形成したことを特徴としている。
【００２６】
このように構成した本発明は、それぞれの筒状部の第１壁部、第２壁部が空間部方向へ微小変位する際に、該当する筒状体の底部も、その波形状に応じて微小変位させることができ、第１壁部間に位置する端子の脚部を動かそうとするストレスをさらに軽減させることができる。
【００２７】
また本発明は、上記発明において、上記底部の厚さ寸法に比べて、上記第１壁部及び上記第２壁部の少なくとも一方の厚さ寸法を薄く設定したことを特徴としている。
【００２８】
このように構成した本発明は、該当する第１壁部、第２壁部の剛性が、底部の剛性よりも小さくなり、これにより充填剤の熱膨脹時に感度良く該当する第１壁部、第２壁部を微小変位させることができる。
【００２９】
また本発明は、上記発明において、上記ケースと上記回転体との間に、上記回転体の回転を許容させる所定の隙間を設定するとともに、上記回転体に支軸を設け、この支軸が収容される凹部を上記カバーに設け、これらの支軸と凹部とによってピポット支持構造を形成したことを特徴としている。
【００３０】
このように構成した本発明は、環境温度が上昇し、充填剤等の熱膨脹に伴って、端子が挿通されているカバーの穴の位置が微動し、回転体の支軸の軸中心が本来の軸中心に対して微小に傾く事態を生じたときでも、回転体の支軸とカバーの凹部との点接触を維持できる。したがって、環境温度がこのように上昇したときでも、回転体を支軸を介して円滑に回転させることができ、絶縁基板から支障なく所定の信号を出力させることができる。
【００３１】
【発明の実施の形態】
以下，本発明の回転型電気部品の実施形態を図に基づいて説明する。
【００３２】
図１〜４は本発明の一実施形態を示す説明図で、図１は平面図、図２は図１のＸ−Ｘ断面図、図３は底面図、図４は本実施形態に備えられるカバー部分を示す平面図である。
【００３３】
図１〜３に示すように、本実施形態は、例えば可変抵抗器であり、外殻を形成し開口部を有するケース１と、このケース１の開口部内に設けられた回転体２とを備えている。ケース１と回転体２との間には、図２に示すように、回転体２の回転を許容させる所定の隙間を設定してある。
【００３４】
回転体２は、図２に示すように、回転力を伝える所定の駆動軸が係合する係合部３を備えるとともに、摺動子７を備えている。また、ケース１の開口部内に設けられ、回転体２の回転に伴って信号を出力する絶縁基板、例えば抵抗体基板６を備えている。この抵抗体基板６は、上述した回転体２の摺動子７が摺接する図示しない抵抗体パターン及び集電体パターンを備えている。
【００３５】
回転体２とケース１との間には、弾性を有するウェーブワッシャ４を設けてあり、これにより回転体２の摺動子７を抵抗体基板６の抵抗体パターン、集電体パターンに確実に接触させることができ、また後述する凹部１２に支軸１１を弾圧させている。
【００３６】
この抵抗体基板６の抵抗体パターンの電極、集電体パターンの電極のそれぞれに端子８をかしめ部９によって固定させてある。端子８は図３の底面図に示すように３本備えており、例えば同図３の右側に位置する端子８が電源端子、すなわち入力端子を構成している。中央に位置する端子８が出力端子、同図３の左側に位置する端子８がアース端子、すなわちグランド端子を構成している。
【００３７】
また、抵抗体基板６の外側部分に設けられ、ケース１の開口部を閉塞するカバー１０を備えている。このカバー１０は、図４にも示すように、３本の端子８の脚部のそれぞれが挿通される穴１３を備えている。
【００３８】
このカバー１０の外側部分には、それぞれの端子８の脚部が挿通される穴１３部分の隙間、及びカバー１０の外周縁とケース１の境界部によって形成される隙間を封止する充填剤、例えば接着剤２４を設けてある。各端子８の脚部は、この接着剤２４によって保持されるとともに、この接着剤２４の内部から外方へ向って延設させてある。
【００３９】
また、回転体２は、その中心に支軸１１を備えており、カバー１０には支軸１１の先端が収容される凹部１２を備えている。支軸１１の先端は円錐状の凸面を形成している。凹部１２は前記凸面の頂角より角度の大きい円錐状の凹面を形成している。すなわち、支軸１１と凹部１２とによって、支軸１１の傾きに拘わらず常時、円錐状の凸部の先端が凹部の底部分と点接触するピポット支持構造を形成させてある。
【００４０】
本実施形態は特に、本実施形態すなわち回転型電気部品を構成する可変抵抗器の熱膨脹に伴うカバー１０の所定部分の微小変位を許容させる許容手段を備えている。
【００４１】
上述した所定部分は例えば、カバー１０に設けられ、各端子８の脚部を囲むように、かつ脚部とほぼ同方向に延設される第１壁部１６，２０と、第１壁部１６とカバー１０の外周縁との間に位置する第２壁部１７と、第１壁部２０とカバー１０の外周縁との間に位置する第２壁部２１とを含んでいる。上述した許容手段は例えば、第１壁部１６に連設形成される空間部１９と、第１壁部２０に連設形成される空間部２３から成っている。なお、第２壁部１７は、上述の空間部１９に連設させてあり、第２壁部２１は上述の空間部２３に連設させてある。
【００４２】
図２，４に示すように、上述した第１壁部１６と、第２壁部１７と、これらの第１壁部１６と第２壁部１７に連設される底部１８とによってカバー１０の基部から外部に向けて突出する有底の、１つの筒状部１４が形成されている。上述した空間部１９は、この筒状部１４の内部空間を構成している。同様に、上述した第１壁部２０と、第２壁部２１と、これらの第１壁部２０と第２壁部２１に連設される底部２２とによって、カバー１０の基部から外部に向けて突出する有底の、別の筒状部１５が形成されている。上述した空間部２３は、この筒状部１５の内部空間を構成している。
【００４３】
上述した接着剤２４は、各端子８の脚部を囲むように延設される筒状部１４の外面の第１壁部１６と、筒状部１５の第１壁部２０との間の領域、カバー１０の外周縁の近傍のケース１の部分と第２壁部１７との間の領域、カバー１０の外周縁の近傍のケース１の部分と第２壁部２１との間の領域、カバー１０の外周縁とケース１の境界部の他の領域部分等に充填してある。
【００４４】
なお、図２，３に示すように、筒状部１４の底部１８、及び筒状部１５の底部２２には、接着剤２４は被覆されておらず、これらの底部１８，２２を外部に露出させてある。
【００４５】
また例えば、筒状部１４の底部１８の厚さ寸法に比べて第１壁部１６の厚さ寸法、第２壁部１７の厚さ寸法をそれぞれ薄く設定してある。同様に、筒状部１５の底部２２の厚さ寸法に比べて第１壁部２０の厚さ寸法、第２壁部２１の厚さ寸法をそれぞれ薄く設定してある。
【００４６】
図５は上述した図１〜４に示す本実施形態の装着時の一例を示す図である。
【００４７】
この例は、自動車のスロットルポジションセンサとして設けた場合を示している。スロットルバルブ３４の回転軸に例えば連結される駆動軸３５が、本実施形態の回転体２の係合部３に係合される。
【００４８】
本実施形態のケース１は、筐体３０、及びこの筐体３０を塞ぐ蓋３２によって形成される空間部内に収容される。また、本実施形態の各端子８の脚部は、上述の空間部内に固定されるプリント回路基板３１に、はんだ等により固定される。
【００４９】
筐体３０は、スロットルバルブ３４の本体３３に固定される。
【００５０】
このように本実施形態が設置された状態において、スロットルバルブが回転し、その回転角度に応じて駆動軸３５が回転すると、回転体２も一体に回転する。この回転体２の回転により摺動子７が抵抗体基板６の抵抗体パターン、集電体パターン上を摺動し、出力端子を形成する端子８からプリント回路基板３１に信号が出力される。すなわち、スロットルバルブの回転角度に応じた信号を出力させることができる。その信号を図示しない制御部で処理することにより、スロットルバルブ３４によって通過量を規制される空気と燃料との混合比等の制御を実施することができる。
【００５１】
本実施形態を同図５に示す筐体３０の内部に取り付ける際などに、筐体３０内に存在する別の接着剤や、塵埃、油などの異物が、本実施形態の内部へ侵入しようとする事態が起こり得るが、このような異物は、接着剤２４によって阻止される。すなわち、各端子８が挿通されるカバー１０の穴１３の隙間や、カバー１０の外周縁とケース２１との境界部の隙間が接着剤２４によって封止されるので、本実施形態の摺動子７と、抵抗体基板６の抵抗体パターン、集電体パターン等によって形成される電気接触部を、外部の異物から確実に保護することができる。
【００５２】
このように構成した本実施形態では、図５に示したスロットルポジションセンサ等のように、低温と高温との間の比較的広い温度範囲を有する環境に設置される場合に特に有効である。
【００５３】
すなわち、本実施形態が配置される環境の温度が上昇し、接着剤２４が熱膨脹したとき、筒状部１４の第１壁部１６及び第２壁部１７が、この筒状部１４内の内部空間である空間部１９方向へ微小変位する。また、筒状部１５の第１壁部２０及び第２壁部２１が、この筒状部１４の内部空間である空間部２３方向へ微小変位する。これらにより、各端子８の脚部を動かそうとするストレスが軽減される。
【００５４】
また、カバー１０と接着剤２４の熱膨脹率の違いに起因して各端子８の脚部を動かそうとするストレスも、上述した第１壁部１６，２０、第２壁部１７，２１が微小変位することにより、軽減される。
【００５５】
さらに、端子８の脚部が固定されるプリント回路基板３１と、接着剤２４等との熱膨脹率の違いに起因して各端子８の脚部を動かそうとするストレスも、上述した第１壁部１６，２０、第２壁部１７，２１が微小変位することにより、軽減される。
【００５６】
このように本実施形態は、配置される環境の温度上昇により、接着剤２４等が熱膨脹した際に、各端子８の脚部を動かそうとするストレスを軽減できる。これにより各端子８と抵抗体基板６の各電極との固定部において、各端子８を押引きする力が小さくなり、抵抗体基板６からの各端子８の離脱を抑制でき、装置としての信頼性を高めることができる。また、これに伴って耐久性を向上させることができる。
【００５７】
したがって、繰り返し高温となる環境で長期間の使用が要望されるスロットルポジションセンサ等にも、図５に示すように活用することができる。
【００５８】
また、本実施形態は、上述したように微小変位するカバー１０の所定部分を、端子８の脚部を囲むように、かつ、脚部とほぼ同方向に延設される第１壁部１６，２０、第２壁部１７，２１によって構成してある。すなわち、カバー１０に第１壁部１６、第２壁部１７を有する筒状部１４と、第１壁部２０、第２壁部２１を有する筒状部１５とを設けた構成にしてある。これらの第１壁部１６，２０、第２壁部１７，２１は、すなわち筒状部１４，１５は、カバー１０の製作時に同時に設けることができ、部品数の増加を招くことがなく、製作費の高騰化を抑えることに貢献する。
【００５９】
また、第２壁部１７，２１を設けたことにより、カバー２と第２壁部１７，２１のそれぞれとの間に充填された接着剤２４の熱膨脹による第１壁部１６，２０間に位置する端子８の脚部への影響を少なくすることができ、より優れた信頼性の確保、及び耐久性の向上に貢献する。
【００６０】
また本実施形態は、カバー１０の筒状部１４，１５の底部１８，２２を接着剤２４で覆わずに、それぞれ外部に露出させてある。これにより剛性を確保でき、端子８の脚部の延設方向に沿う外力に対して、摺動子７及び抵抗体基板６上の抵抗体パターン、集電体パターンを含む電気接触部を保護することができ、構造上の安定性を確保できる。この点から装置の信頼性の向上に貢献する。また、接着剤２４で筒状部１４，１５の底部１８，２２を覆うことがないので、接着剤の量を少なく抑えることができ、経済的である。
【００６１】
また本実施形態は、筒状部１４の底部１８の厚さ寸法に比べて第１壁部１６、第２壁部１７の厚さ寸法を薄く設定してあり、筒状部１５の底部２２の厚さ寸法に比べて第１壁部２０、第２壁部２１の厚さ寸法を薄く設定してある。したがって、第１壁部１６，２０、第２壁部１７，２１の剛性が、底部１８，２２の剛性よりも小さくなり、これにより接着剤２４の熱膨脹時に感度よく第１壁部１６，２０、第２壁部１７，２１を微小変位させることができる。これに伴って端子８の脚部を動かそうとするストレスをより軽減でき、装置の信頼性の確保、及び耐久性の向上に貢献する。
【００６２】
また本実施形態は、上述したように、ケース１と回転体２との間に、回転体２の回転を許容させる所定の隙間を設定するとともに、回転体２に支軸１１を設け、この支軸１１が許容される凹部１２をカバー１０に設け、これらの支軸１１と凹部１２とによってピポット支持構造を形成させてある。
【００６３】
これにより、環境温度が上昇し、接着剤２４の熱膨脹に伴って、端子８が挿通されているカバー１０の穴１３の位置が微動し、回転体２の支軸１１の軸中心が本来の軸中心に対して微小に傾く事態を生じたときでも、回転体２の支軸１１とカバー１０の凹部１２との点接触を維持でき、不所望の個所がケース１に当接する等のことが無い。したがって、環境温度がこのように上昇したときでも、回転体２を支軸１１を介して円滑に回転させることができ、抵抗体基板６から支障なく所定の信号を出力させることができる。この観点から装置の信頼性の確保に貢献する。
【００６４】
なお、上記実施形態では、図２等に示すように、筒状部１４，１５の底部１８，２２を平板状に形成してあるが、これらの底部１８，２２の双方を、あるいは一方を、波形状に形成してもよい。このように構成したものでは、接着剤２４の熱膨張に応じて筒状部１４，１５の第１壁部１６，２０、第２壁部１７，２１が空間部１９あるいは２３方向へ微小変位する際に、該当する底部１８，２２も、その波形状に応じて微小変位させることができる。これにより第１壁部１６，２０間に位置する端子８の脚部を動かそうとするストレスをさらに軽減させることができ、優れた信頼性の確保、及び耐久性の向上に貢献する。
【００６５】
また上記では、第１壁部１６，２０、第２壁部１７，２１の全てを底部１８あるいは２２よりも薄く設定してあるが、第１壁部１６，２０、第２壁部１７，２１のうちの少なくとも１つを該当する底部１８，２２よりも薄く設定した構成にしてもよい。
【００６６】
さらに上記では、第２壁部１７，２１を設けた構成にしてあるが、これらの第２壁部１７，２１を設けずに、第１壁部１６，２０だけを設けた構成にしてもよい。このように構成した場合でも第１壁部１６，２０によって、接着剤２４の熱膨脹に起因して第１壁部１６，２０間に位置する端子８の脚部を動かそうとするストレスを軽減させることができる。これにより、上述したように、抵抗体基板２４の電極と端子８との固定部からのストレスに伴う端子８の離脱を抑制できる。
【００６７】
また上記では、摺動子および抵抗体パターン、集電体パターンを含む可変抵抗器を例に挙げたが、本発明は、このような可変抵抗器に適用することには限られない。ロータリースイッチ等に適用してもよい。
【００６８】
【発明の効果】
以上のように本発明は、この回転型電気部品の熱膨脹に伴うカバーの所定部分の微小変位を許容させる許容手段を備えた構成にしてある。したがって、充填剤が熱膨脹したとき、許容手段を介して充填剤内に位置する端子の脚部を動かそうとするストレスを軽減できる。これにより端子と絶縁基板との固定部において、端子を押引きする力が従来よりも小さくなり、絶縁基板からの端子の離脱を抑制でき、装置としての信頼性を従来よりも高めることができる。また、これに伴って従来に比べて耐久性を向上させることができる。
【００６９】
したがって、繰り返し高温となる環境で長期間の使用が要望されているスロットルポジションセンサ等としても有効に活用することができる。
【００７０】
また本発明は、許容手段によって微小変位するカバーの所定部分が、カバーに設けられ、端子の脚部を囲むように、かつ、脚部とほぼ同方向に延設される第１壁部を含んでいる。また許容手段が、第１壁部に連設形成させた空間部から成り、端子の脚部を囲むように延設される第１壁部間の領域に、充填剤を設けた構成にしてある。
【００７１】
第１壁部は、カバーの製作時に同時に設けることができ、部品数の増加を招くことがなく、製作費の高騰化の抑制に貢献する。
【００７２】
また本発明は、カバーを外部に露出させた構成にしてある。
【００７３】
これにより、回転型電気部品の裏面の剛性を確保でき、端子の脚部の延設方向に沿う外力に対して、絶縁基板上に形成される電気接触部を保護することができ、構造上の安定性を確保でき、この点から装置の信頼性の向上に貢献する。また、充填剤の量を少なくすることができ、経済的である。
【００７４】
また本発明は、許容手段によって微小変位するカバーの所定部分が、上述の第１壁部とカバーの外周縁との間に位置し、上述の空間部に連設形成される第２壁部を含み、カバーの外周縁の近傍のケースの部分と第２壁部との間の領域に充填剤を設けた構成にしてある。
【００７５】
これにより、カバーの外周縁の近傍のケースの部分と第２壁部との間に充填された充填剤が熱膨脹したとき、第２壁部が空間部方向へ微小変位する。したがって、第１壁部間に位置する端子の脚部への影響を少なくすることができ、より優れた信頼性の確保、及び耐久性の向上に貢献する。また、第２壁部はカバーの製作時に同時に設けることができ、部品数の増加を招くことがなく、制作費の高騰化の抑制に貢献する。
【００７６】
また本発明は、カバーが、端子の脚部を挟むように配置される一対の筒状部を有し、これらの筒状部の壁部のうちの端子の脚部に近い側に位置する壁部が、上述した第１壁部を形成し、端子の脚部から遠い側に位置する壁部が上述の第２壁部を形成する構成にしてある。
【００７７】
カバーの製作時に、一対の筒状部を同時に設けることができ、部品数の増加を招くことがなく、製作費の高騰化の抑制に貢献する。
【００７８】
また本発明は、一対の筒状部のそれぞれが、第１壁部、第２壁部に連設される底部を有するとともに、これらの底部の少なくとも一方を波形状に形成した構成にしてある。
【００７９】
これにより、充填剤の熱膨脹に応じて筒状部の第１壁部、第２壁部が空間部方向へ微小変位する際に、該当する底部も、その波形状に応じて微小変位させることができ、端子の脚部を動かそうとするストレスをさらに軽減させることができる。これに伴いより優れた信頼性を確保でき、耐久性を向上させることができる。
【００８０】
また本発明は、筒状部の底部の厚さ寸法に比べて、第１壁部及び第２壁部の少なくとも一方の厚さ寸法を薄く設定した構成にしてある。
【００８１】
これにより、充填剤の熱膨脹時に感度よく第１壁部、第２壁部を微小変位させることができ、これに伴って端子の脚部を動かそうとするストレスをより軽減でき、装置の信頼性の確保、及び耐久性の向上に貢献する。
【００８２】
また本発明は、ケースと回転体との間に、回転体の回転を許容させる所定の隙間を設定するとともに、回転体に支軸を設け、この支軸が収容される凹部をカバーに設け、これらの支軸と凹部とによってピポット支持構造を形成した構成にしてある。
【００８３】
これにより、この回転型電気部品の熱膨脹によって支軸が微小に傾く事態を生じたときでも、支軸と凹部との点接触を維持でき、回転体を円滑に回転させることができる。すなわち、回転体の回転に伴って絶縁基板から支障なく所定の信号を出力させることができ、この観点から装置の信頼性の確保に貢献する。
【図面の簡単な説明】
【図１】本発明の回転型電気部品の一実施形態を示す平面図である。
【図２】図１のＸ−Ｘ断面図である。
【図３】図１に示す一実施形態の底面図である。
【図４】図１に示す一実施形態に備えられるカバー部分を示す平面図である。
【図５】図１に示す一実施形態の装着時の一例を示す図である。
【符号の説明】
１　　ケース
２　　回転体
３　　係合部
４　　ウェーブワッシャー
６　　抵抗体基板
７　　摺動子
８　　端子
９　　かしめ部
１０　カバー
１１　支軸
１２　凹部
１３　穴
１４　筒状部
１５　筒状部
１６　第１壁部
１７　第２壁部
１８　底部
１９　空間部（許容手段）
２０　第１壁部
２１　第２壁部
２２　底部
２３　空間部（許容手段）
２４　接着剤（充填剤）
３０　筐体
３１　プリント回路基板
３２　蓋
３３　本体
３４　スロットルバルブ
３５　駆動軸
【図１】
2004128129.tif 000003
【図２】
2004128129.tif 000004
【図３】
2004128129.tif 000005
【図４】
2004128129.tif 000006
【図５】
2004128129.tif 000007